(57)【要約】【課題】  スライド式電子機器においてフレキシブルリードシート(５)の断線を防止する。【解決手段】  本発明に係るスライド式電子機器は、互いにスライド可能に係合する第１筐体１と第２筐体２を具え、第１筐体１に内蔵された回路基板３上のコネクター31と第２筐体２に内蔵されたコネクター41に対し、フレキシブルリードシート５の両端部に設けられた端子部51、52が連結されている。第１筐体１には、コネクター31に連結されたフレキシブルリードシート５の端子部51と同じ高さ位置を回路基板３と平行に伸びる第１ガイド面61が設けられると共に、第２筐体２には、コネクター41に連結されたフレキシブルリードシート５の端子部52と同じ高さ位置を第１ガイド面61と平行に伸びる第２ガイド面22が設けられ、フレキシブルリードシート５は両ガイド面61、22に沿って屈曲変形する。【選択図】      図３
2006115144.tif 000002
【特許請求の範囲】
【請求項１】
互いにスライド可能に係合する第１筐体(１)と第２筐体(２)を具え、第１筐体(１)に内蔵された回路基板(３)上のコネクター(31)と第２筐体(２)に内蔵されたコネクター(41)に対し、Ｕ字状に屈曲するフレキシブルリードシート(５)の両端部に設けられた端子部(51)(52)が連結され、両筐体(１)(２)のスライドに伴ってフレキシブルリードシート(５)が屈曲変形するスライド式電子機器において、第１筐体(１)には、前記コネクター(31)に連結されたフレキシブルリードシート(５)の端子部(51)と同じ高さ位置を回路基板(３)と平行に伸びる第１ガイド面(61)が設けられると共に、第２筐体(２)には、前記コネクター(41)に連結されたフレキシブルリードシート(５)の端子部(52)と同じ高さ位置を前記第１ガイド面(61)と平行に伸びる第２ガイド面(22)が設けられ、フレキシブルリードシート(５)はＵ字状に屈曲した状態で両ガイド面(61)(22)の間に挟まれ、両ガイド面(61)(22)に沿って屈曲変形することを特徴とするスライド式電子機器。
【請求項２】
回路基板(３)上には、回路基板(３)の表面から離間して一定の高さ位置を伸びる平板部(60)を具えたガイド部材(６)が設置され、該ガイド部材(６)の平板部(60)の表面に前記第１ガイド面(61)が形成されている請求項１に記載のスライド式電子機器。
【発明の詳細な説明】
【技術分野】
【０００１】
本発明は、スライド式携帯電話機等のスライド式電子機器に関するものである。
【背景技術】
【０００２】
従来、図１及び図２に示す如きスライド式携帯電話機が知られている。該スライド式携帯電話機においては、第１筐体(１)と第２筐体(２)が互いにスライド可能に係合し、第１筐体(１)の表面に複数の操作キー(11)が配備されると共に、第２筐体(２)の表面にディスプレイ(20)が配備され、第１筐体(１)に突設したアンテナ(10)によって送受信が可能となっている(特許文献１参照)。
【０００３】
この様なスライド式携帯電話機においては、図４(ａ)(ｂ)に示す如く、第１筐体(１)に回路基板(３)が内蔵されると共に、第２筐体(２)に回路基板(４)が内蔵され、両回路基板(３)(４)がフレキシブルリードシート(５)によって互いに連結されている。
即ち、第１筐体(１)内の回路基板(３)上に設置されたコネクター(31)と第２筐体(２)内の回路基板(４)上に設置されたコネクター(41)に対し、Ｕ字状に屈曲するフレキシブルリードシート(５)の両端部に設けられた端子部(51)(52)が連結されている。
【０００４】
ここで、第２筐体(２)には、回路基板(４)上のコネクター(41)に連結されたフレキシブルリードシート(５)の端子部(52)と同じ高さ位置を回路基板(４)と平行に伸びるガイド面(22)が形成されており、フレキシブルリードシート(５)はＵ字状に屈曲した状態で回路基板(３)の表面と前記ガイド面(22)の間に挟まれ、スライドに伴って屈曲変形が可能である。
【０００５】
フレキシブルリードシート(５)は、例えば図５に示す如く、信号線路を形成する厚さ１８μmの銅箔(53)の両側に厚さ２５μmの合成樹脂層(54)(54)を介して厚さ２０μmのシールド層(55)(55)を配備し、更にその両側に厚さ２０μmの合成樹脂層(56)(56)を配備した積層構造を有している。
【特許文献１】特開２００３−２９８６９９号公報
【発明の開示】
【発明が解決しようとする課題】
【０００６】
しかしながら、図４に示すスライド式携帯電話機においては、長期間の使用によってフレキシブルリードシート(５)に断線が発生する問題があった。フレキシブルリードシート(５)の断線の原因としては、第１筐体(１)と第２筐体(２)のスライドに伴ってフレキシブルリードシート(５)のＵ字状屈曲部の位置が移動すると共に、その屈曲部の曲率半径が変化することによって、フレキシブルリードシート(５)の銅箔に金属疲労が発生することと、フレキシブルリードシート(５)のＵ字状屈曲部が回路基板(３)の表面に対して衝突を繰り返すことによって、フレキシブルリードシート(５)の銅箔に微細なクラックが発生することが考えられる。
【０００７】
そこで本発明の目的は、フレキシブルリードシート(５)に断線が発生することのないスライド式電子機器を提供することである。
【課題を解決するための手段】
【０００８】
本発明に係るスライド式電子機器は、互いにスライド可能に係合する第１筐体(１)と第２筐体(２)を具え、第１筐体(１)に内蔵された回路基板(３)上のコネクター(31)と第２筐体(２)に内蔵されたコネクター(41)に対し、Ｕ字状に屈曲するフレキシブルリードシート(５)の両端部に設けられた端子部(51)(52)が連結されている。
そして、第１筐体(１)には、前記コネクター(31)に連結されたフレキシブルリードシート(５)の端子部(51)と同じ高さ位置を回路基板(３)と平行に伸びる第１ガイド面(61)が設けられると共に、第２筐体(２)には、前記コネクター(41)に連結されたフレキシブルリードシート(５)の端子部(52)と同じ高さ位置を前記第１ガイド面(61)と平行に伸びる第２ガイド面(22)が設けられ、フレキシブルリードシート(５)はＵ字状に屈曲した状態で両ガイド面(61)(22)の間に挟まれ、両ガイド面(61)(22)に沿って屈曲変形する。
【０００９】
上記本発明のスライド式電子機器においては、フレキシブルリードシート(５)が、第１ガイド面(61)と第２ガイド面(22)の間に挟まれた状態で屈曲変形するので、第１筐体(１)と第２筐体(２)のスライドに伴ってＵ字状屈曲部の位置は変化するものの、該Ｕ字状屈曲部の曲率半径は一定に保たれる。又、第１筐体(１)と第２筐体(２)のスライド開始からスライド終了に亘って、フレキシブルリードシート(５)のＵ字状屈曲部は両ガイド面(61)(22)に接触した状態を維持し、ガイド面(61)(22)から衝突に伴う衝撃力を受けることはない。
【００１０】
具体的構成において、回路基板(３)上には、回路基板(３)の表面から離間して一定の高さ位置を伸びる平板部(60)を具えたガイド部材(６)が設置され、該ガイド部材(６)の平板部(60)の表面に前記第１ガイド面(61)が形成されている。
該具体的構成によれば、フレキシブルリードシート(５)のＵ字状屈曲部は、ガイド部材(６)の第１ガイド面(61)によって案内され、回路基板(３)の表面に接触することはない。又、ガイド部材(６)の第１ガイド面(61)が形成されている平板部(60)は、回路基板(３)の表面から離間しているので、従来の如く回路基板(３)の表面にフレキシブルリードシート(５)のＵ字状屈曲部のガイド領域を設ける必要がない。従って、回路基板(３)の表面領域を従来よりも広く電子部品搭載のために利用することが出来る。
【発明の効果】
【００１１】
本発明に係るスライド式電子機器によれば、第１筐体(１)と第２筐体(２)のスライドに伴ってフレキシブルリードシート(５)のＵ字状屈曲部の曲率半径が一定に保たれるばかりでなく、フレキシブルリードシート(５)が衝撃力を受けることがないので、金属疲労やマイクロクラックの発生が抑制されて、フレキシブルリードシート(５)の断線を防止することが出来る。
【発明を実施するための最良の形態】
【００１２】
以下、本発明をスライド式携帯電話機に実施した形態につき、図面に沿って具体的に説明する。
本発明に係るスライド式携帯電話機は、図３(ａ)(ｂ)に示す如く、互いにスライド可能に係合する第１筐体(１)と第２筐体(２)を具え、第１筐体(１)に回路基板(３)が内蔵されると共に、第２筐体(２)に回路基板(４)が内蔵され、両回路基板(３)(４)がフレキシブルリードシート(５)によって互いに連結されている。
【００１３】
即ち、第１筐体(１)内の回路基板(３)上に設置されたコネクター(31)と第２筐体(２)内の回路基板(４)上に設置されたコネクター(41)に対し、Ｕ字状に屈曲するフレキシブルリードシート(５)の両端部に設けられた端子部(51)(52)が連結されている。
【００１４】
ここで、第１筐体(１)には、回路基板(３)上に、回路基板(３)の表面から離間して一定の高さ位置を伸びる平板部(60)を具えたガイド部材(６)が設置され、該回路基板(３)の平板部(60)の表面には、回路基板(３)上のコネクター(31)に連結されたフレキシブルリードシート(５)の端子部(51)と同じ高さ位置を回路基板(３)と平行に伸びる第１ガイド面(61)が形成されている。
一方、第２筐体(２)には、回路基板(４)上のコネクター(41)に連結されたフレキシブルリードシート(５)の端子部(52)と同じ高さ位置を回路基板(４)と平行に伸びる第２ガイド面(22)が形成されている。
【００１５】
フレキシブルリードシート(５)は、第１筐体(１)内の回路基板(３)上のコネクター(31)に接続された端子部(51)からガイド部材(６)の第１ガイド面(61)に沿って水平に伸び、Ｕ字状に屈曲しつつ第１筐体(１)に開設された窓(12)を通過し、１８０度折り返された後、第２筐体(２)の第２ガイド面(22)に沿って水平に伸び、その先端に設けられた端子部(52)が、第２筐体(２)内の回路基板(４)上のコネクター(41)に接続されている。
【００１６】
第１筐体(１)に対して第２筐体(２)がスライドすると、フレキシブルリードシート(５)が、ガイド部材(６)の第１ガイド面(61)と第２筐体(２)の第２ガイド面(22)の間に挟まれた状態で、Ｕ字状屈曲部が両ガイド面(61)(22)によって案内されつつ、その位置を移動する。この過程で、フレキシブルリードシート(５)のＵ字状屈曲部の曲率半径は一定に保たれる。又、図３(ａ)に示すスライド開始から図３(ｂ)に示すスライド終了に亘って、フレキシブルリードシート(５)のＵ字状屈曲部は両ガイド面(61)(22)に接触した状態を維持し、従来の様に衝突力を受けることはない。
従って、金属疲労やマイクロクラックの発生が抑制されて、フレキシブルリードシート(５)の断線を回避することが出来る。
【００１７】
又、ガイド部材(６)の第１ガイド面(61)が形成されている平板部(60)は、回路基板(３)の表面から離間しているので、回路基板(３)の表面には、ガイド部材(６)の平板部(60)によって覆われた領域にも電子部品を搭載することが出来、回路基板(３)の有効活用を図ることが出来る。
【図面の簡単な説明】
【００１８】
【図１】スライド式携帯電話機の斜視図である。
【図２】該スライド式携帯電話機を他の方向から見た斜視図である。
【図３】本発明に係るスライド式携帯電話機のスライド前後の状態を示す拡大断面図である。
【図４】従来のスライド式携帯電話機のスライド前後の状態を示す拡大断面図である。
【図５】フレキシブルリードシートの積層構造を示す拡大断面図である。
【符号の説明】
【００１９】
(１)  第１筐体
(２)  第２筐体
(３)  回路基板
(31)  コネクター
(４)  回路基板
(41)  コネクター
(５)  フレキシブルリードシート
(51)  端子部
(52)  端子部
(６)  ガイド部材
(60)  平板部
(61)  第１ガイド面
(22)  第２ガイド面
【図１】
2006115144.tif 000003
【図２】
2006115144.tif 000004
【図３】
2006115144.tif 000005
【図４】
2006115144.tif 000006
【図５】
2006115144.tif 000007